(57)【要約】【課題】安価で且つ使用方法が簡易である、一般家庭での使用に適したセキュリティ装置及びセキュリティシステムを提供する。【解決手段】各種センサー・検知器２ａ，２ｂ，２ｃは、周囲の異常を感知すると警報音を発する。この警報音は近くのセキュリティ装置３のセンサー部で感知され、これにより、セキュリティ装置３の送信部が周囲に異常が発生していることを警報信号として出力する。この警報信号は、直接、あるいは複数のセキュリティ装置３を経由してネットワークコンピュータ４へ送信され、さらに一般公衆回線６を介して外部通信端末７ａ，７ｂ，７ｃに送信され、その家の住人に異常発生を通知する。【選択図】　　　図１
2004054400.tif 000002
【特許請求の範囲】
【請求項１】
周囲の警報音を感知するセンサー部と、該警報音により、周囲に異常が発生していることを警報信号として外部装置へ送信する送信部とを備えたことを特徴とするセキュリティ装置。
【請求項２】
請求項１記載のセキュリティ装置であって、前記送信部は無線通信手段を備え、該無線通信手段により外部装置へ警報信号を送信することを特徴とするセキュリティ装置。
【請求項３】
請求項１乃至２記載のセキュリティ装置であって、前記センサー部と前記送信部とを一体構成にしたことを特徴とするセキュリティ装置。
【請求項４】
請求項３記載のセキュリティ装置であって、さらに電源コンセントへの差込プラグを備え、電源コンセントに取り付けて電力を取り入れる構造にしたことを特徴とするセキュリティ装置。
【請求項５】
周囲の警報音を感知するセンサー部と、該警報音により、周囲に異常が発生していることを警報信号として外部装置へ送信する送信部とを備えたセキュリティ装置を複数用いてネットワーク接続し、一のセキュリティ装置が出力する警報信号を他のセキュリティ装置を介して外部装置へ送信することを特徴とするセキュリティシステム。
【請求項６】
請求項５記載のセキュリティシステムであって、前記セキュリティ装置は、自分が発信元となる場合には、自分に割り当てられたＩＤを発信ＩＤとして、また、警報信号の送信先となる外部装置のＩＤを目標ＩＤとして警報信号に付加して出力し、他のセキュリティ装置からの警報信号を中継する場合には、これらＩＤを付加せずにそのまま警報信号を中継することを特徴とするセキュリティシステム。
【請求項７】
請求項６記載のセキュリティシステムであって、前記外部装置は、受信した発信ＩＤに基づいて警報信号の送信を停止させる停止信号の送信先である目標ＩＤを生成し、この目標ＩＤを付加して前記停止信号を出力することを特徴とするセキュリティシステム。
【発明の詳細な説明】
【０００１】
【発明の属する技術分野】
最近では、ピッキング被害等が多発しており、企業だけでなく一般の家庭においても防犯に対する関心は高まってきている。警備会社とのセキュリティ契約も、従来は企業でのみ採用されていたが、現在では一般の家庭にも広まってきている。また、ディスカウントストア等においては、窓の開閉検知機やピッキングセンサー等の安価で手軽に購入できる簡易防犯装置、ガス漏れや火災を知らせる警報機、簡易消化器などの数多くのセキュリティ関連商品が販売されている。本発明は、セキュリティに関するシステムの中で、特に一般家庭でのホームセキュリティについて、使用方法が簡易で、かつ安価に提供することができるセキュリティ装置及びセキュリティシステムを提供するものである。
【０００２】
【従来の技術】
一般家庭において、セキュリティシステムとして広く採用されているのは、警備会社とセキュリティ契約を結ぶシステムである。このシステムでは、建物に、警備会社のコントロールセンターと通信可能な、ホームコントローラーが設置されている。また、ホームコントローラーと有線や無線にて通信可能なセンサーが、必要に応じて建物内に配置されている。例えば、玄関や窓等の外部から浸入しやすい場所には、人の気配等を感知する防犯センサーが配置され、給湯機付近にはガス漏れを検知するガス漏れセンサーや、火災を検知する火災センサーが設置されている。
【０００３】
そして、建物内に、誰かが無断で侵入したとか、ガス漏れあるいは火災が発生したとかの場合には、ホームコントローラーがセンサーを通じて異常を検知し、警備会社のコントロールセンターに、異常信号を送信する。警備会社では異常信号を受信すると、緊急発進基地に待機中の警備員や、巡回中の警備員に異常が発生した旨を連絡し、異常信号を送信した家に警備員を急行させる。警備員は異常信号送信現場に到着すると、ホームコントローラーからコントロールセンターに送信された異常信号の内容により、侵入者がいないか、ガス漏れはないか、火災は発生していないか等を確認し、必要に応じて警察や消防署に連絡をする。
【０００４】
一方、安価に購入できる警報装置としては、例えばピッキングセンサーがある。ピッキングセンサーは、内蔵されたセンサーにより、ピッキング動作の時に発生する細かい振動を感知するようになっており、振動を感知すると大容量の警報音を発する。使用する際には、ドアノブ等に吊るすだけでよく、また、電源には通常の乾電池を使用するため、手軽に設置することができる。
【０００５】
また、この他の警報装置としてガス漏れセンサーがある。ガス漏れセンサーは、給湯機やガスコンロの近くのコンセントに差し込んだ状態で設置される。そして、ガス漏れやガスの不完全燃焼を感知すると警報音を発する。
【０００６】
【発明が解決しようとする課題】
一般家庭においては、以上のような方法を用いてホームセキュリティが行われているが、これら方法には、次のような課題がある。
警備会社とセキュリティ契約を結んだ場合は、初期投資を含めて、費用が高いという点である。一昔前から比べると、費用はかなり安くなってきてはいるが、手軽に導入するにはまだ難しい価格である。また、警備会社との契約では、多くの場合、契約内容は予め警備会社により準備されたいくつかのパターンの中から選ばなければならず、必要としている機能のみ契約するということは認められていない。さらに、ホームコントローラーや各種センサーを設置する場合、壁に新たに取付け用の穴を空けたり、家の中に配線を固定したりする必要があるため、設置が面倒という課題がある。
【０００７】
一方、安価の警報装置を使用した場合には、費用負担や設置に対する課題は解決されるが、新たに別の課題が発生する。ピッキングセンサーにおいては、登場したばかりの頃は、侵入者がピッキング中にセンサーが振動を感知して警報音が発せられると、侵入者は侵入を諦めていた。しかし、最近では、侵入者のピッキング技術が巧妙かつ高度になっているため、ピッキングを開始し警報音が発せられても、極めて短い時間で鍵を空けて侵入し、ピッキングセンサーの警報音を止めてしまう。そして、いったん侵入されてしまうと、その後は侵入を外部に知らせる手段はなくなってしまうという課題がある。
【０００８】
また、ガスセンサーにおいては、住人が在宅中にガス漏れが発生した場合には、警報音によってガス漏れを知らせる事ができる。しかし、住人が外出中の場合は、たとえガスセンサーから警報音が発せられても、ガス漏れを知らせる事が出来ないという課題がある。
【０００９】
【発明が解決しようとする手段】
上記課題を解決するために、本発明は、周囲の警報音を感知するセンサー部と、警報音により、周囲に異常が発生していることを警報信号として外部装置へ送信する送信部とを備えたことを特徴とするセキュリティ装置を提供するものである。
【００１０】
また、本発明は、周囲の警報音を感知するセンサー部と、警報音により、周囲に異常が発生していることを警報信号として外部装置へ送信する送信部とを備えたセキュリティ装置を複数用いてネットワーク接続し、一のセキュリティ装置が出力する警報信号を他のセキュリティ装置を介して外部装置へ送信することを特徴とするセキュリティシステムを提供するものである。
【００１１】
【発明の実施の形態】
本発明の一実施例について、一般家庭のホームセキュリティを例にして以下に説明する。図１は、本発明を一般家庭のホームセキュリティに適用した場合の、セキュリティシステムの全体構成を示す図であり、以下に各構成を説明する。
【００１２】
１は建物を示しており、ここではピッキングセンサー２ａ、ガス漏れセンサー２ｂ、窓の開閉検知機２ｃ、セキュリティ装置３、及びネットワークコンピュータ４が設置されている。ガス漏れセンサー２ａ、ピッキングセンサー２ｂ、窓の開閉検知機２ｃはディスカウントショップ等で販売されている安価なものであり、搭載されているセンサーがピッキングによる振動やガスの臭気により異常を検知すると、警報音を発するものである。図では３種類の警報機を示しているが、検知機能については特に指定されず、警報音を発するものであれば良い。また、警報機の数も特に指定されず、いくつでもよい。これらの警報機を以下、簡易警報装置２と総称する。
【００１３】
セキュリティ装置３は、簡易警報装置２の警報音を感知して、異常があったことを知らせる信号（以下、警報信号と示す）を無線、または有線で送信する機能や、他の装置からの警報信号や警報信号の送信を停止する信号（以下、警報停止信号と示す）を受信し、再び送信する中継機能を有しており、詳細は後述する。４はネットワークコンピュータであり、複数のセキュリティ装置３のなかのひとつとケーブル５ａを介して接続されている。
【００１４】
６は、電話回線やインターネット回線等の一般公衆回線であり、ネットワークコンピュータ４と接続され、また、携帯電話７ａ、一般電話７ｂ、パーソナルコンピュータ７ｃ等（以下、外部通信端末７と総称する）とも接続されている。
【００１５】
次に、セキュリティ装置３の詳細を説明する。
図２にセキュリティ装置３の外観を示す。３１は外部の音を感知するセンサー部であり、３２は動作用の交流１００Ｖ電源を取り入れるための電源部である。３３は通信用接続端子であり、詳細な説明は後述する。
【００１６】
図３は、セキュリティ装置３の機能ブロック図である。同図に示すように、セキュリティ装置３は、センサー部３１、電源部３２、通信部３３、無線部３４、処理部３５により構成される。センサー部３１は、外部の音を感知する部分である。このセンサー部３１には、予め基準音量が設定されており、感知音に対して、この基準音量を超えた音の情報（以下、感知音情報と記す）のみが処理部３５に送信される。電源部３２は上述の通り、動作用の交流１００Ｖ電源を取り入れる部分であり、電源コンセントへの差込プラグを備えている。
【００１７】
通信部３３は、ネットワークコンピュータ４との間で、簡易警報装置２の警報音を感知したことを知らせる警報信号及び、警報信号の送信を停止させる警報停止信号の送受信が行われる部分である。無線部３４は、他のセキュリティ装置３から前述の警報信号や警報停止信号を受信したり、他のセキュリティ装置３へ警報信号や警報停止信号を送信したりする部分である。
【００１８】
処理部３５は、セキュリティ装置３の動作全般を制御する部分であり、内部には記憶装置や乱数発生装置が備えられている。記憶装置には、予め、ＩＤ番号、警報音識別用の周波数範囲及び、警報音識別用の指定時間が入力されている。このＩＤ番号は、セキュリティ装置３が複数ある場合であっても、各装置の判別を可能にするためのものであり、全ての装置に対して異なる番号が付与されている。警報音識別用の周波数範囲は、センサー部３１を介して処理部３５に入力された感知音情報に対し、簡易警報装置２からの警報音であるかを感知音の周波数により判断するための設定値であり、簡易警報装置２の警報音に適した値が入力されている。警報音識別用の指定時間は、同じく感知音情報に対し、警報音であるかを感知音の継続時間により判断するための設定値である。また乱数発生装置は、後述する警報信号のデータに、一貫性のない数値を付与するために用いられる。
【００１９】
図４は、セキュリティ装置３によって送受信される警報信号のデータ構成８である。同図において発信ＩＤ８ａは、簡易警報装置２からの警報音を感知し、最初に警報信号を発信した装置のＩＤ番号である。目標ＩＤ８ｂは、警報信号の最終目的地のＩＤ番号であり、通常はネットワークコンピュータ４を示すＩＤが入力される。乱数データ８ｃは、本警報信号が既に送信された過去の警報信号と混同されないようにするための数値であり、処理部３５の乱数発生装置により、一貫性のない数値が与えられる。制御コード８ｄは、信号の制御内容を表す数値である。再送回数データ８ｅは、最初に警報信号を発信した装置に警報停止信号が送られてこない場合に、警報信号の再発信回数を示す数値である。
【００２０】
図４に示した警報信号のデータ構成８の例では、最初に警報信号を発信した装置の発信ＩＤ８ａは０２０００００１、目標ＩＤ８ｂはネットワークコンピュータ４を示すＩＤである１００１００１となっている。また、他の信号と混同しないための識別用の乱数データ８ｃは１３４、制御コード８ｄはセンサー部３１が警報音を感知したことを意味する０９となっている。そして、再送回数データ８ｅは０１０であり、警報停止信号が送られてこない場合は、警報信号の再送信を１０回行うこととなっている。
【００２１】
図５は、セキュリティ装置３によって送受信される警報停止信号のデータ構成９である。同図において発信ＩＤ９ａは、警報停止信号を発信する装置のＩＤであり、通常はネットワークコンピュータ４を示すＩＤが入力される。目標ＩＤ９ｂは、簡易警報装置２からの警報音を感知し、最初に警報信号を発信した装置のＩＤ番号となる。乱数データ９ｃは、警報信号と同一の数値がそのまま入力される。制御コード９ｄは、信号の制御内容を表すＩＤであり、警報信号の送信を停止させる数値が入力される。再送回数データ８ｅは、警報信号の数値がそのまま使用される。
【００２２】
図５に示した警報停止信号のデータ構成９の例では、発信ＩＤ８ａは最初に警報信号を発信した装置の０２０００００１、目標ＩＤ８ｂはネットワークコンピュータ４を示すＩＤである１００１００１となっている。また、識別用の乱数データ８ｃは図４の警報信号と同じ１３４、制御コード８ｄはセンサー部３１が警報信号の送信を停止させることを意味する００となっている。そして、再送回数データ８ｅは警報信号テーブル８と同じ０１０となっている。
【００２３】
次に、セキュリティ装置３の動作について説明する。
図６にセキュリティ装置３が警報音を感知した時の、動作フローチャートを示す。
セキュリティ装置３は、動作前は受信待機状態となっている（ステップＳ１）。そして、センサー部３１が何らかの音を感知すると、設定されている基準音量よりも大きい音か判断される（ステップＳ２、Ｓ３）。基準音量よりも小さい場合には、警報音ではないと判断され、再び受信待機状態となる。そして、基準音量以上の場合には、処理部３５に感知音情報が送信される。処理部３５では、感知音情報について、感知音の周波数が、処理部３５に予め設定されている周波数範囲の中にあるか判断される（ステップＳ４）。設定範囲外の場合には、警報音ではないと判断され、再び受信待機状態となる。設定範囲内の場合は、次のステップＳ５に進む。次に、処理部３５で感知音の持続時間が、予め設定された時間、例えば５秒以上継続されているかが判断される（ステップＳ５）。感知音が継続していない場合には、警報音ではないと判断され、再び受信待機状態となる。そして、その他の場合には、感知音は警報音であると判断され、処理部３５から無線部３４に発信信号の送信指示が送られる。
【００２４】
無線部３４では、警報信号が無線で送信される（ステップＳ６）。また、この警報信号の送信指示は、処理部３５から通信用接続端子３３にも送られ、通信用接続端子３３に、ネットワークコンピュータ４がケーブル５ａを介して接続されている場合には、ネットワークコンピュータ４に警報信号が送信され、それ以外の場合はステップＳ９に進む（ステップＳ７、Ｓ８）。次に、セキュリティ装置３が警報停止信号を受信したか判断される（ステップＳ９）。受信している場合には終了となり、受信していない場合には、ステップＳ１０に進む。そして、警報信号の再送信回数が再送回数データ８ｅに達しているか判断される。再送回数データ８ｅ未満の場合にはステップＳ６に進み、再び警報信号の送信を行う。再送回数データ８ｅに達している場合、動作は終了となり、受信待機状態となる。
【００２５】
図７は、セキュリティ装置３が警報信号及び警報停止信号を無線で受信した時の、動作フローチャートを示したものである。
セキュリティ装置３は、動作前は受信待機状態となっている（ステップＳ１）。そして無線部３５が警報信号、又は警報停止信号を受信すると、そのデータが処理部３５へ送られる（ステップＳ２）。ここで、処理部３５の記憶装置内には一定の範囲内、例えば過去３０分以内において、受信した警報信号及び警報停止信号のデータが保管されている。そこで、この保管されているデータに基づいて、今回受信した警報信号、又は警報停止信号と、過去に送信された警報信号、又は警報停止信号とが同一でないか判断される（ステップＳ３）。同一の場合、今回受信した信号に対する応答は既に済んでいるため、動作は終了となる。また、異なる場合には、処理部３５から無線部３４に信号の送信指示が送られ、無線部３４から、受信した信号と同一データの警報信号又は警報停止信号が無線で送信される（ステップＳ４）。そして、この送信された信号のデータが処理部３５に記憶される。
【００２６】
次に、通信端末３３にネットワークコンピュータ４が接続されているか判断される（ステップＳ５）。接続されていない場合、動作は終了となり、それ以外の場合は、ステップＳ４で送信された信号が、警報信号であるかが判断される（ステップＳ６）。警報信号でない場合、動作は終了となり、それ以外の場合はネットワークコンピュータ４に警報信号等が送信される（ステップＳ７）。
【００２７】
図８は、セキュリティ装置３がネットワークコンピュータ４から、警報停止信号を受信した時の動作フローチャートを示したものである。
セキュリティ装置３は、動作前は受信待機状態となっている（ステップＳ１）。そして、通信部３３がネットワークコンピュータ４から警報停止信号を受信すると、そのデータが処理部３５へと送られる（ステップＳ２）。処理部３５からは無線部３４に警報停止信号の送信指示が送られ、無線部３４から警報停止信号が無線で送信される（ステップＳ３）。この送信された信号のデータは、通信部３３が受信した警報停止信号のデータと同一である。
【００２８】
図９は、ネットワークコンピュータ４の動作フローチャートを示したものである。
ネットワークコンピュータ４は、動作前は受信待機状態となっている（ステップＳ１）。そして、セキュリティ装置３から警報信号を受信すると、一般公衆回線６を経由して、外部端末７に警報信号の受信を通知する（ステップＳ２、Ｓ３）。この外部端末７は、携帯電話７ａや会社のＰＣ７ｂ等であり、通知先のアドレスは予めネットワークコンピュータ４に登録されている。また、外部端末７に通知される内容は、警報信号のデータと同一にしても良いが、そこから必要な内容だけ抽出して通知したり、更に必要な情報をそれに付加して通知したりしても良い。
【００２９】
次に、ネットワークコンピュータ４では、受信した警報信号のデータ構成８をもとに、警報停止信号のデータが作成される。（ステップＳ４）。ここで、発信器ＩＤ８ａは、異常信号を発信した簡易セキュリティ装置３のＩＤから、ネットワークコンピュータ４のＩＤに書き換えられる。また、目標ＩＤ８ｂは、ネットワークコンピュータ４のＩＤから、セキュリティ装置３のＩＤに書き換えられる。また、制御コード８ｄは、センサー部３１への異常音入力を示す０９から、異常信号送信の停止を指示する００に書き換えられる。次いで、警報停止信号が、ネットワークコンピュータ４からセキュリティ装置３に、送信される（ステップＳ５）。
【００３０】
次に、セキュリティシステムにおける、警報信号及び警報停止信号の伝送方法について説明する。
図１０は、複数のセキュリティ装置をネットワーク接続することにより構成されるセキュリティシステムの、第１の設置例を示したものである。また、図１１はセキュリティ装置Ａ１０１ａが最初に警報信号を送信した場合の、警報信号パルス及び、警報停止信号パルスの伝達状況を示したものである。
【００３１】
まず、セキュリティ装置Ａ１０１ａが何らかの音を感知して、それを簡易警報装置２からの警報音と判断すると、警報信号が無線で送信される。この警報信号は、セキュリティ装置Ａ１０１ａからの無線信号が届く範囲１０１ｂ内、例えば半径５ｍ以内の範囲に設置されている、全てのセキュリティ装置が受信し、本図ではセキュリティ装置Ｂ１０２ａが受信する。セキュリティ装置Ｂ１０２ａでは、警報信号のデータ上の発信器ＩＤ８ａ及び乱数データ８ｃより、この警報信号が初めて受信した信号であることが判断され、同一データの警報信号が無線で送信される。
【００３２】
そして、この警報信号は、セキュリティ装置Ｂ１０２ａの無線信号が届く範囲１０２ｂ内に設置されている、セキュリティ装置Ａ１０１ａ及びセキュリティ装置Ｃ１０３ａが受信する。セキュリティ装置Ａ１０１ａでは、警報信号のデータにより、受信した警報信号が既に自端末が送信した信号と同一であると判断され、この警報信号に対する応答は行われない。セキュリティ装置Ｃ１０３ａでは、受信した警報信号のデータにより、再受信ではないことが判断され、同一のデータ構成である警報信号が無線で送信される。
【００３３】
次いで、この警報信号はセキュリティ装置Ｂ１０２ａとセキュリティ装置Ｄ１０４ａが受信するが、セキュリティ装置Ｂ１０２ａでは受信した信号のデータが既に送信された信号と同一なので応答は行われない。セキュリティ装置Ｄ１０４ａでは、受信した警報信号は初めて受信したものなので、同一のデータ構成である警報信号が無線で送信され、且つネットワークコンピュータ４と接続されているので、警報信号がネットワークコンピュータ４にもケーブル５ａを介して送信される。ネットワークコンピュータ４では、外部端末７に警報信号を受信した旨が通知され、また、受信した警報信号のデータ構成８をもとに、警報停止信号のデータが作成される。そして、警報停止信号がセキュリティ装置Ｄ１０４ａにケーブル５ａを介して送信される。セキュリティ装置Ｄ１０４ａからは警報停止信号が無線で送信され、警報信号とは逆の経路でセキュリティ装置Ａ１０１ａに送信される。セキュリティ装置Ａ１０１ａでは、自装置が送信した警報信号に対する警報停止信号を受信すると、警報信号送信の動作が停止される。
【００３４】
なお、途中経路の電波状況等の影響により、セキュリティ装置Ａ１０１ａに警報停止信号が送信されなかった場合には、警報停止信号を受信するまで再送回数データ８ｅ分だけ、警報信号の再送信が行われる。
【００３５】
図１２は、セキュリティシステムの、第２の設置例を示したものであり、図１３はセキュリティ装置Ａ１１１ａが初期の警報信号を発信した場合の、警報信号パルスの伝達状況を示したものである。
セキュリティ装置Ａ１１１ａが何らかの音を感知して、それを簡易警報装置２からの警報音と判断すると、警報信号が無線で送信される。この警報信号は、セキュリティ装置Ａ１１１ａからの無線信号が届く範囲１１１ｂ内、例えば半径５ｍ以内の範囲に設置されている、全てのセキュリティ装置が受信し、本図ではセキュリティ装置Ｂ１１２ａとセキュリティ装置Ｃ１１３ａが受信する。そして、両装置ともに受信した信号と同一データの警報信号を無線で送信し、この警報信号をセキュリティ装置Ａ１１１ａとセキュリティ装置Ｄ１１４ａが受信する。
【００３６】
ここで、セキュリティ装置３が信号を受信して、送信するまでのタイミングについて説明する。警報信号を受信し、前述の通り送信されるか否かの判断が行われ、送信されることとなった信号に対し、処理部３５では乱数発生機能によって受信から送信までのタイミングが決められる。したがって、セキュリティ装置Ｂ１１２ａとセキュリティ装置Ｃ１１３ａは、同じタイミングでセキュリティ装置Ａ１１１ａからの警報信号を受信しても、次に警報信号を送信するタイミングは異なることとなる。そのため、セキュリティ装置Ａ１１１ａとセキュリティ装置Ｄ１１４ａには、セキュリティ装置Ｂ１１２ａとセキュリティ装置Ｃ１１３ａからの警報信号が異なったタイミングで到達する。
【００３７】
セキュリティ装置Ａ１１１ａでは、受信した警報信号は、既に送信された信号と同一なので、この警報信号に対する応答は行われない。また、セキュリティ装置Ｄ１１４ａでは、先に受信した警報信号のみについて応答が行われ、後に受信した警報信号に対しては、先の警報信号と同一なので応答は行われない。そして、先に受信した警報信号に対して、セキュリティ装置Ｄ１１４ａからはネットワークコンピュータ４にケーブル５ａを介して警報信号が送信され、外部端末７に警報信号を受信した旨が通知される。また、ネットワークコンピュータ４では、受信した警報信号のデータをもとに警報停止信号のデータが作成され、警報停止信号が逆の経路でセキュリティ装置Ａ１１１ａまで送信される。なお、ここでの警報停止信号の伝送系路は、必ずしも警報信号と逆の経路のなるものではなく、乱数データ９ｃによる送信のタイミングによって決まる。セキュリティ装置Ａ１１１ａでは、自端末が送信した警報信号に対する警報停止信号を受信すると、警報信号送信の動作が停止される。
【００３８】
ところで、セキュリティ装置Ｂ１１２ａ及びセキュリティ装置Ｃ１１３ａにおける信号送信のタイミングは前述の通り、乱数発生機能による乱数データ８ｃにより異なることとなるが、同一のタイミングで送信された場合には、次のように動作する。まず、セキュリティ装置Ｄ１１４ａは、同一データの警報信号を同一のタイミングで受信すると、これらの警報信号に対する応答は行われない。すると、セキュリティ装置Ａ１１１ａには警報停止信号が送信されてこないため、ある一定間隔の後、再び警報信号が送信される。ここで、この警報信号のデータは新規に作成されるため、先に発信した警報信号とは混同されないようになっている。
【００３９】
そして、新たに送信される警報信号は、再びセキュリティ装置Ｂ１１２ａ及びセキュリティ装置Ｃ１１３ａを経由して、セキュリティ装置Ｄ１１４ａに送信される。セキュリティ装置Ｂ１１２ａ及びセキュリティ装置Ｃ１１３ａから送信される警報信号は、乱数発生機能による乱数により、互いの送信タイミングは異なるので、セキュリティ装置Ｄ１１４ａでは、先に受信した警報信号に対してのみ、応答が行われる。ここで、再び受信タイミングが同一となった場合には、再度セキュリティ装置Ａ１１１ａから、データが新しいものとなった警報信号が送信される。
【００４０】
なお、セキュリティ装置Ａ１１１ａから発信される警報信号は、途中経路の電波状況が悪いことを考慮し、前述の通り、警報停止信号を受信するまで再送回数データ８ｅ分、再送信が行われる。
【００４１】
図１４は、セキュリティシステムの、第３の設置例を示したものであり、図１５はセキュリティ装置Ａ１２１ａが初期の警報信号を発信した場合の、警報信号パルスの伝達状況を示したものである。
セキュリティ装置Ａ１２１ａが何らかの音を感知して、それを簡易警報装置２からの警報音と判断すると、警報信号が無線で送信される。この警報信号は、セキュリティ装置Ｂ１２２ａ、セキュリティ装置Ｃ１２３ａ、セキュリティ装置Ｄ１２４ａが受信し、各装置ともに受信した警報信号と同一データの警報信号が送信される。セキュリティ装置Ｅ１２５ａでは、セキュリティ装置Ｂ１２２ａ乃至Ｄ１２４ａからの警報信号のうち、最も早く受信した警報信号についてのみ応答が行われる。そして、その他の警報信号については、先に受信した警報信号とデータが同一なので応答は行われない。
【００４２】
また、セキュリティ装置Ｅ１２５ａにはネットワークコンピュータ４が接続されているので、警報信号はネットワークケーブル５ａを介してネットワークコンピュータ４に送信される。そして、ネットワークコンピュータ４から外部端末に警報信号を受信した旨が通知される。次いで、ネットワークコンピュータ４では受信した警報信号のデータを元に、警報停止信号のデータが作成され、セキュリティ装置Ｅ１２５ａにネットワークケーブル５ａを介して送信される。そして、セキュリティ装置Ｅ１２５ａから警報停止信号が無線で送信され、警報信号とは逆の経路でセキュリティ装置Ａ１２１ａに伝達される。なお、ここでの警報停止信号の伝送系路は、必ずしも警報信号と逆の経路のなるものではなく、乱数データ９ｃによる送信のタイミングによって決まる。セキュリティ装置Ａ１２１ａでは、自装置が発信した警報信号に対する警報停止信号を受信すると、警報信号送信の動作が停止される。
【００４３】
【発明の効果】
以上、詳細に説明したように本発明によれば、従来の簡易警報装置をそのまま使用した、安価で使用方法が容易なセキュリティ装置並びにセキュリティシステムを提供することができる。また、セキュリティ装置は１台から動作可能であるとともに、装置間における信号の送受信は無線で行われるため、建物内にケーブルを新たに設置する必要がなく、容易に台数を増やすことができる。
【図面の簡単な説明】
【図１】セキュリティ装置を用いたセキュリティシステムの全体構成図
【図２】セキュリティ装置の外観図
【図３】セキュリティ装置の機能ブロック図
【図４】警報信号のデータ構成図
【図５】警報停止信号のデータ構成図
【図６】警報音感知時の動作フローチャート
【図７】無線部における警報信号及び警報停止信号受信時の動作フローチャート
【図８】通信部における有線警報停止信号受信時の動作フローチャート
【図９】ネットワークコンピュータの動作フローチャート
【図１０】セキュリティ装置の第１の設置例
【図１１】第１の設置例における警報信号パルスの伝達状況
【図１２】セキュリティ装置の第２の設置例
【図１３】第２の設置例における警報信号パルスの伝達状況
【図１４】セキュリティ装置の第３の設置例
【図１５】第３の設置例における警報信号パルスの伝達状況
【符号の説明】
２　　　　簡易警報装置
３　　　　セキュリティ装置
３１　　　センサー部
３３　　　通信部
３４　　　無線部
３５　　　処理部
４　　　　ネットワークコンピュータ
８　　　　警報信号のデータ構成
９　　　　警報停止信号のデータ構成
１０１ａ、１０２ａ、１０３ａ、１０４ａ　セキュリティ装置
１０１ｂ、１０２ｂ、１０３ｂ、１０４ｂ　セキュリティ装置の通信可能範囲
１０５　ネットワークコンピュータ
【図１】
2004054400.tif 000003
【図２】
2004054400.tif 000004
【図３】
2004054400.tif 000005
【図４】
2004054400.tif 000006
【図５】
2004054400.tif 000007
【図６】
2004054400.tif 000008
【図７】
2004054400.tif 000009
【図８】
2004054400.tif 000010
【図９】
2004054400.tif 000011
【図１０】
2004054400.tif 000012
【図１１】
2004054400.tif 000013
【図１２】
2004054400.tif 000014
【図１３】
2004054400.tif 000015
【図１４】
2004054400.tif 000016
【図１５】
2004054400.tif 000017